(57)【特許請求の範囲】
【請求項１】
利用者によって選曲されたカラオケ楽曲の演奏を行うカラオケ装置本体と、前記カラオケ装置本体に接続され、利用者が触れることによる接触入力操作が可能なタッチパネルとを備えるカラオケ装置であって、
カラオケ楽曲の演奏中であるか否かを判定する判定手段と、
前記判定手段によりカラオケ楽曲の演奏中であると判定した場合、カラオケ演奏モードに対応した所定の機能に対する操作を前記タッチパネルによって接触入力可能に設定する一方、前記判定手段によりカラオケ楽曲の演奏中でないと判定した場合、演奏待ちモードに対応した所定の機能に対する操作を前記タッチパネルによって接触入力可能に設定する入力制御手段とを備え、
カラオケ楽曲が演奏されていない間の演奏待ちモードとして、前記カラオケ装置をナイト市場で使用する場合に対応した所定の機能を実行するナイトモードと、前記カラオケ装置をデイ市場で使用する場合に対応した所定の機能を実行するデイモードのうち、何れかのモードを選択可能に構成されており、
前記入力制御手段は、演奏待ちモードとして前記ナイトモードが選択されている場合、カラオケ楽曲を演奏中でないときに前記ナイトモードに対応した所定の機能に対する操作を前記タッチパネルによって接触入力可能に設定する一方、演奏待ちモードとして前記デイモードが選択されている場合、カラオケ楽曲を演奏中でないときに前記デイモードに対応した所定の機能に対する操作を前記タッチパネルによって接触入力可能に設定すること
を特徴とするカラオケ装置。
【請求項２】
利用者によって選曲されたカラオケ楽曲の演奏を行うカラオケ装置本体と、前記カラオケ装置本体に接続され、利用者が触れることによる接触入力操作が可能なタッチパネルとを備えるカラオケ装置であって、
カラオケ楽曲の演奏中であるか否かを判定する判定手段と、
前記判定手段によりカラオケ楽曲の演奏中であると判定した場合、カラオケ演奏モードに対応した所定の機能に対する操作を前記タッチパネルによって接触入力可能に設定する一方、前記判定手段によりカラオケ楽曲の演奏中でないと判定した場合、演奏待ちモードに対応した所定の機能に対する操作を前記タッチパネルによって接触入力可能に設定する入力制御手段とを備え、
カラオケ楽曲が演奏されていない間の演奏待ちモードとして、前記カラオケ装置を所定のナローバンド回線に接続して通信可能にした条件下での使用に対応した所定の機能を実行するナローバンドモードと、前記カラオケ装置を所定のブロードバンド回線に接続して通信可能にした条件下での使用に対応した所定の機能を実行するブロードバンドモードのうち、何れかのモードを選択可能に構成されており、
前記入力制御手段は、演奏待ちモードとして前記ナローバンドモードが選択されている場合、前記ナローバンドモードに対応した所定の機能に対する操作を前記タッチパネルによって接触入力可能に設定する一方、演奏待ちモードとして前記ブロードバンドモードが選択されている場合、カラオケ楽曲を演奏中でないときに前記ブロードバンドモードに対応した所定の機能に対する操作を前記タッチパネルによって接触入力可能に設定すること
を特徴とするカラオケ装置。
【請求項３】
請求項１又は請求項２に記載のカラオケ装置において、
前記カラオケ演奏モードに対応した所定の機能は、カラオケ楽曲の演奏状態を調節する機能であり、前記演奏待ちモードに対応した所定の機能は、利用者に対する情報提示を行う機能であること
を特徴とするカラオケ装置。
【請求項４】
請求項１ないし請求項３の何れか１項に記載のカラオケ装置において、
表示面上に所定の画像を表示させる表示手段を更に備え、
前記タッチパネルは、前記表示手段の表示面上に重ねて設けられ、
前記入力制御手段は、カラオケ楽曲を演奏中の場合、前記表示手段でカラオケ演奏モードに対応して表示中の画像上に、カラオケ演奏モードに対応した所定の機能を選択するためのアイコンをオーバーレイ表示すると共に、前記タッチパネル上における当該アイコンの表示位置に対応した範囲で、当該アイコンで示される機能に対応する操作を接触入力可能に設定する一方、カラオケ楽曲を演奏中でない場合、前記表示手段で演奏待ちモードに対応して表示中の画像上に、演奏待ちモードに対応した所定の機能を選択するためのアイコンをオーバーレイ表示すると共に、前記タッチパネル上における当該アイコンの表示位置に対応した範囲で、当該アイコンで示される機能に対応する操作を接触入力可能に設定すること
を特徴とするカラオケ装置。
【発明の詳細な説明】
【技術分野】
【０００１】
本発明は、タッチパネル式の入力装置を備えたカラオケ装置に関する。
【背景技術】
【０００２】
従来、カラオケ演奏を初めとする各種映像・音声サービスを提供するカラオケ装置において、カラオケ装置本体とは分離したリモコン端末によってカラオケ装置本体の操作を行うことが広く実施されている（例えば特許文献１）。この種のリモコン端末としては、液晶ディスプレイ等の表示面上に取付けたタッチパネルを主要な入力装置として備え、無線ＬＡＮインタフェースを実装した検索機能付き情報端末が用いられる。
【先行技術文献】
【特許文献】
【０００３】
【特許文献１】特開２０１０−４９０９７号公報
【発明の概要】
【発明が解決しようとする課題】
【０００４】
上述のようなリモコン端末において情報表示を行う場合、カラオケ楽曲の演奏の合間を利用して、カラオケ装置本体側でカラオケ演奏中とは異なる情報表示を行うことで、利用客に様々な情報提供を行うことが考えられる。
【０００５】
さらに、カラオケ装置本体側で行う情報提供と併せて、カラオケ装置の本体側にもタッチパネル式の入力装置を設けて様々な操作を行えるようにすることで利便性を向上できると考えられる。このようにする背景には、スナックバー等のナイト（酒場）市場において接客員と利用客とが一緒にカラオケ装置を利用する場合、利用客がリモコン端末を使用している間、接客員はリモコン端末を使用できず必要な操作をすぐに行えないという事情もある。
【０００６】
ところで、カラオケ装置が提供する最も主要なサービスといえば、カラオケ演奏である。そのため、一般的には、リモコン端末では、主要なサービスであるカラオケ演奏に関連する操作項目を、階層化した入力手順における上位階層に設定することで、カラオケ演奏に関する機能を実行する上での操作性を向上させることが考えられる。
【０００７】
その反面、カラオケ演奏の合間（曲間）に実施する機能や、利用客が使うことのない管理者用機能等については、それらはカラオケ演奏と比較して主要なサービスではないため、それらの機能に関する操作項目は、階層化した入力手順における下位階層に設定されることがあった。そのため、ユーザ（接客員や利用客）が機能を起動させようとしても、必要な操作項目が階層の深いところにあり、目的の操作項目がどこにあるのか分かり難かったり、操作が煩雑になるといった問題があった。
【０００８】
そこで、カラオケ装置本体にタッチパネル式の入力装置を設けるにあたっては、上述のような観点を十分に考慮することが課題となる。
本発明は、上記課題を解決するためになされたものであり、カラオケ演奏中あるいは演奏の合間といった局面ごとに対応した簡便な操作が可能なタッチパネル式の入力装置を備えたカラオケ装置を提供することを目的とする。
【課題を解決するための手段】
【０００９】
上記目的を達成するためになされた本発明のカラオケ装置は、利用者によって選曲されたカラオケ楽曲の演奏を行うカラオケ装置本体と、カラオケ装置本体に接続され、利用者が触れることによる接触入力操作が可能なタッチパネルとを備えるカラオケ装置であり、判定手段と入力制御手段とを備える。
【００１０】
判定手段は、カラオケ楽曲の演奏中であるか否かを判定する。そして、入力制御手段は、判定手段によりカラオケ楽曲の演奏中であると判定した場合、カラオケ演奏モードに対応した所定の機能に対する操作をタッチパネルによって接触入力可能に設定する。一方、判定手段によりカラオケ楽曲の演奏中でないと判定した場合、演奏待ちモードに対応した所定の機能に対する操作をタッチパネルによって接触入力可能に設定する。
【００１１】
このような構成によれば、カラオケ演奏中やカラオケ演奏の合間といった局面ごとに対応した機能に関する操作を、リモコン端末とは別にカラオケ装置が備えるタッチパネルを用いて行うことができる。具体的には、カラオケ演奏中には、カラオケ楽曲の演奏状態を調節する機能（例えば、早送り、スピードコントロール、キーコントロール等）がタッチパネルにより操作可能になる一方、演奏待ち期間には、演奏待ちの間に行う利用者に対する情報提示に関する機能（例えば、コマーシャル、新譜案内、ランキング表示、環境映像の展示等）がタッチパネルにより操作可能になる（請求項３）。このように、カラオケの演奏中と演奏待ち期間とでタッチパネルによる操作内容を切替えることで、カラオケ演奏に関する操作以外の操作を行う場合でも、従来のように必要な操作項目を階層構造の深い位置から探す必要がなく、操作が簡便になる。
【００１２】
つぎに、請求項４に記載のカラオケ装置は以下の特徴を有する。すなわち、表示面上に所定の画像を表示する表示手段を更に備え、タッチパネルは、表示手段の表示面上に重ねて設けられている。そして、入力制御手段は、カラオケ楽曲を演奏中の場合、表示手段でカラオケ演奏モードに対応して表示中の画像上に、カラオケ演奏モードに対応した所定の機能を選択するためのアイコンをオーバーレイ表示すると共に、タッチパネル上における当該アイコンの表示位置に対応した範囲で、当該アイコンで示される機能に対応する操作を接触入力可能に設定する。一方、カラオケ楽曲を演奏中でない場合、表示手段で演奏待ちモードに対応して表示中の画像上に、演奏待ちモードに対応した所定の機能を選択するためのアイコンをオーバーレイ表示すると共に、タッチパネル上における当該アイコンの表示位置に対応した範囲で、当該アイコンで示される機能に対応する操作を接触入力可能に設定する。
【００１３】
このように構成されたカラオケ装置によれば、タッチパネルと表示装置との組合せによるＧＵＩ（Graphical User Interface）を利用した直感的な操作が可能になる。また、接触入力操作に用いるアイコンを、カラオケ演奏中に表示している背景画像や、演奏待ち期間中に表示している情報提示画像にオーバーレイ表示することで、カラオケ演奏モードや演奏待ちモードに対応した画像表示を継続したまま各モードに対応した接触入力操作をすることが可能になる。
【００１４】
ところで、カラオケ装置が利用される市場には、スナックバー等の飲食店でカラオケサービスを提供するナイト市場と、カラオケボックス等のカラオケを主目的とする娯楽施設でカラオケサービスを提供するデイ市場とがある。ナイト市場とデイ市場とでは、その営業形態や客層の違いから要求されるカラオケサービスの内容にも差異がある。そのため、従来は、ナイト市場向けの機能を充実したカラオケ装置の機種と、デイ市場向けの機能を充実したカラオケ装置の機種とが、それぞれ別に製作されるなどしてきた。しかし、近年では、ナイト市場向けの機能とデイ市場向けの機能の何れも実装し、どちらの市場においても十分なサービスを提供できるカラオケ装置が製作される動きもある。
【００１５】
このような事情を鑑み、ナイト市場とデイ市場の何れの市場においても操作しやすいカラオケ装置を提供することが肝要である。そこで、請求項１に記載のように構成することが考えられる。すなわち、当該カラオケ装置は、カラオケ楽曲が演奏されていない間の演奏待ちモードとして、カラオケ装置をナイト市場で使用する場合に対応した所定の機能を実行するナイトモードと、カラオケ装置をデイ市場で使用する場合に対応した所定の機能を実行するデイモードのうち、何れかのモードを選択可能に構成されている。そして、入力制御手段は、演奏待ちモードとしてナイトモードが選択されている場合、カラオケ楽曲を演奏中でないときにナイトモードに対応した所定の機能に対する操作をタッチパネルによって接触入力可能に設定する。一方、演奏待ちモードとしてデイモードが選択されている場合、カラオケ楽曲を演奏中でないときにデイモードに対応した所定の機能に対する操作をタッチパネルによって接触入力可能に設定する。
【００１６】
このようにすることで、ナイト市場及びデイ市場の何れにおいても、各市場のモードに対応した機能に対する操作を、カラオケ装置に備えられたタッチパネルを用いて簡単に行うことができる。
【００１７】
あるいは、通信カラオケが設置される店舗では、ナローバンド回線を利用して楽曲データ等の提供を受ける店舗（小規模な場合が多い）や、ブロードバンド回線を利用して楽曲データ等の提供を受ける店舗がある。ナローバンド回線を利用する店舗とブロードバンド回線を利用する店舗とでは、回線による通信速度の違いから、カラオケ装置において提供できるサービスの内容に差異がある。例えば、ナローバンド回線を通じてデータ通信を行うカラオケ装置では、必要な通信データ量が比較的少ないサービスが実行されるのに対し、ブロードバンド回線を通じてデータ通信を行うカラオケ装置では、必要な通信データ量が比較的多いサービスが実行される。
【００１８】
このような事情を鑑み、ナローバンド環境の店舗とブロードバンド環境の店舗の何れの店舗においても操作しやすいカラオケ装置を提供することが肝要である。そこで、請求項２に記載のように構成することが考えられる。すなわち、当該カラオケ装置は、カラオケ楽曲が演奏されていない間の演奏待ちモードとして、カラオケ装置を所定のナローバンド回線に接続して通信可能にした条件下での使用に対応した所定の機能を実行するナローバンドモードと、カラオケ装置を所定のブロードバンド回線に接続して通信可能にした条件下での使用に対応した所定の機能を実行するブロードバンドモードのうち、何れかのモードを選択可能に構成されている。そして、入力制御手段は、演奏待ちモードとしてナローバンドモードが選択されている場合、ナローバンドモードに対応した所定の機能に対する操作をタッチパネルによって接触入力可能に設定する。一方、演奏待ちモードとしてブロードバンドモードが選択されている場合、カラオケ楽曲を演奏中でないときにブロードバンドモードに対応した所定の機能に対する操作をタッチパネルによって接触入力可能に設定する。
【００１９】
このようにすることで、ナローバンド環境とブロードバンド環境の何れにおいても、各市場のモードに対応した機能に対する操作を、カラオケ装置に備えられたタッチパネルを用いて簡単に行うことができる。
【図面の簡単な説明】
【００２０】
【図１】実施形態のカラオケ装置１の概略構成を示すブロック図である。
【図２】接触入力による動作処理の手順を示すフローチャートである。
【図３】デイモードにおける演奏待ちタッチ動作処理の手順を示すフローチャートである。
【図４】ナイトモードにおける演奏待ちタッチ動作処理の手順を示すフローチャートである。
【図５】カラオケ演奏中におけるアイコン表示の一例を示す説明図である。
【図６】演奏待ち中におけるアイコン表示の一例を示す説明図である。
【発明を実施するための形態】
【００２１】
以下、本発明の一実施形態を図面に基づいて説明する。なお、本発明は下記の実施形態に何ら限定されるものではなく様々な態様にて実施することが可能である。
［カラオケ装置１の構成の説明］
図１に示すように、カラオケ装置１は、カラオケ装置１全体の制御を司る制御手段としてのＣＰＵ１４、及びこのＣＰＵ１４に接続された各部、すなわち、操作パネル１０、入力表示部１１、映像処理部１２、ハードディスクドライブ（ＨＤＤ）１３、ＲＡＭ１５、ＲＯＭ１６、音声処理部１７、通信インタフェース１８等を備える。
【００２２】
操作パネル１０は、カラオケ装置１に対する各種操作を行うための入力装置であり、カラオケ装置１本体の外装パネルに配置されたスイッチ類により構成される。
入力表示部１１は、カラオケ装置１の本体に組込まれた表示パネル１１ａと、表示パネル１１ａの表示面上に一体に設置されたタッチパネル１１ｂとからなる表示と入力との２つの機能を兼ね備えた電子装置である。表示パネル１１ａは、例えば、液晶パネル（ＬＣＤ）等で構成され、映像処理部１２から入力される画像情報によってカラオケ演奏中の背景画像や、演奏待ち期間における情報表示画像、あるいはそれらの画像に重畳して表示されるアイコン画像等が表示される。タッチパネル１１ｂは、表示パネル１１ａの表示面の形状に合わせて薄板状に形成された透過性を有する樹脂材料により構成されており、操作者の指先やペン先等で触れるか至近距離まで接近する（以下、これらの動作を「タッチ」とも称する。）ことで、タッチされた画面位置の情報を感知してＣＰＵ１４に入力する。ＣＰＵ１４では、タッチパネル１１ｂから入力された位置情報が、表示パネル１１ａに表示しているアイコンの画像位置に該当する場合、そのアイコンに割当てられている機能が実行される。リモコン端末において情報表示を行う場合、カラオケ店舗内に敷設された無線ＬＡＮを通じて操作対象のカラオケ装置からデータを送るため、表示コンテンツの複雑化や利用頻度が高まるにつれて、無線ＬＡＮのネットワークの通信負荷が高まることが発生し得るが、カラオケ装置１に備えられた表示パネル１１ａにより情報表示を行うことで通信負荷を低減することができる。
【００２３】
映像処理部１２は、画像情報を映像化するグラフィックエンジンや圧縮形式の映像データを再生するデコーダからなる映像処理装置であり、カラオケ装置１本体に組込まれた表示パネル１１ａと、ビデオ出力端子に接続される外付けのメインモニタ２０の２画面分の表示画像を並行して処理する機能を備える。映像処理部１２によって映像化された画像情報等は、表示パネル１１ａやメインモニタ２０でそれぞれ出力される。メインモニタ２０と表示パネル１１ａには、カラオケ装置１が実行中のサービス（カラオケ演奏や演奏待ち期間における情報提示）に応じて互いにリンクした画像が表示されたり、個別の機能操作画面が表示パネル１１ａのみに表示されたりする。
【００２４】
ＨＤＤ１３は、カラオケの楽曲データを多数収録したカラオケデータベースや、カラオケ装置１の動作を制御するシステムプログラムやアプリケーションプログラム、各種の情報提示に用いる動画や静止画等の画像データや楽曲データ等の各種データを記憶する記憶装置である。ＲＡＭ１５は、ＣＰＵ１４のメインメモリとして利用される記憶装置であり、ＣＰＵ１４によって読込まれたプログラムや各種データを一時的に記憶したり、画像データを展開するための画像バッファとして用いられる。ＲＯＭ１６は、読出し専用の記憶媒体であり、ＩＰＬやＢＩＯＳといった一部のシステムプログラムやシステムデータを記憶する。
【００２５】
通信インタフェース１８は、ネットワーク接続端子に接続された通信ネットワークを介して外部の配信サーバ等とデータ通信を行うための通信装置である。なお、カラオケ装置１が設置される商業施設としては、飲食を主目的とするスナックバー等のナイト市場と、カラオケサービスを主目的とするカラオケボックス等のデイ市場とがある。ナイト市場では、一般公衆回線等の低速な通信サービスを利用するナローバンド環境でカラオケ装置１をインターネット等の通信ネットワークに接続する小規模な店舗が比較的多い。一方、デイ市場では、多数のカラオケ装置１同士を店舗内のＬＡＮで相互接続した上で、店舗内のＬＡＮを光通信やＡＤＳＬ等の高速な通信サービスを利用するブロードバンド環境で外部の通信ネットワーク（例えば、ブロードバンドＶＰＮ等）に接続する大規模な店舗が多い。よって、カラオケ装置１をナイト市場及びデイ市場のどちらの市場にも対応して利用できるようにする場合、通信インタフェース１８としては、ナローバンド環境及びブロードバンド環境の何れにも対応可能なものを採用する。
【００２６】
音声処理部１７は、楽曲データに基づく演奏再生を行うと共に、演奏再生音とオーディオ入力端子に接続されるマイクロフォン（図示省略）から入力される歌唱者の歌声とをミキシングする等して適宜音声処理を施し、その音声処理された音声信号をオーディオ出力端子から出力する。また、カラオケ演奏以外の一般音源として、圧縮形式の音声データを再生してオーディオ出力端子から出力するデコーダとしての機能も有する。オーディオ出力端子から出力された音声信号は、オーディオ出力端子に接続されたアンプ（図示省略）で増幅された後にスピーカ（図示省略）から放音される。
【００２７】
ＣＰＵ１４は、ＨＤＤ１３やＲＯＭ１６から読込んだプログラムやデータに基づき、ユーザから指定されたカラオケ楽曲の伴奏音楽を演奏する処理を行う。このとき、映像処理部１２を通じて、演奏対象の楽曲に対応する背景画像や歌詞テロップをメインモニタ２０及び表示パネル１１ａに表示する。また、カラオケ楽曲の演奏を行っていない演奏待ち期間には、予め指定された動作モードに従って、メインモニタ２０及び表示パネル１１ａを用いた各種画像表示や、音声出力による情報提示を行う。
【００２８】
なお、カラオケ装置１のその他の機能や構成については公知技術に従っているのでここでは詳細な説明を省略する。
ところで、本実施形態のカラオケ装置１は、ナイト市場での利用にもデイ市場での利用にも両方対応可能な機種として構成したものを想定している。しかしながら、ナイト市場とデイ市場とでは、その営業形態や客層の違いから要求されるカラオケサービスの内容にも差異がある。また、ナイト市場に比較的多いナローバンド環境の店舗と、デイ市場に多いブロードバンド環境の店舗とでは、通信速度の違いから提供できるサービスの内容に差異がある。そこで、本実施形態のカラオケ装置１では、演奏待ち期間においてＣＰＵ１４が実行するアプリケーションとしてナイト市場向けの機能とデイ市場向けの機能の何れも実装し、実際に使用される市場に合わせた動作モード（ナイトモード又はデイモード）を指定することで、指定された市場向けの機能をＣＰＵ１４が実行する。
【００２９】
ナイトモードに対応した機能としては、例えば、サービスの対象を当該店舗の得意客に限定した機能や、当該店舗の接客員を対象とした機能、中高年層の利用客向けの機能等が実装される。また、ナローバンド環境で使用されることに配慮し、必要な通信データ量が比較的少ないサービスが実装される。一方、デイモードに対応した機能としては、全国の会員をサービスの対象とした機能や、チェーン展開する店舗に対応した機能、若年層の利用客向けの機能等が実装される。また、ブロードバンド環境で使用されることを考慮し、必要な通信データ量が比較的多いサービスも実装される。また、ナイトモードとデイモードとで兼用できる機能も実装される。
【００３０】
［接触入力による動作処理の説明］
つぎに、カラオケ装置１のＣＰＵ１４が実行する「接触入力による動作処理」の手順について、図２のフローチャートを参照しながら説明する。この処理は、ＣＰＵ１４が実行するカラオケ演奏に関する各種処理や、演奏待ち期間に実行する情報提示に関する各種処理等と並行して実行される処理である。
【００３１】
ＣＰＵ１４は、まず、現在カラオケ楽曲を演奏中であるか否かを判定する（Ｓ１００）。カラオケ楽曲を演奏中である場合（Ｓ１００：ＹＥＳ）、Ｓ１０１の処理に進み、カラオケ楽曲の演奏を行っていない、すなわち演奏待ち期間である場合（Ｓ１００：ＮＯ）、Ｓ１０５の処理に進む。
【００３２】
カラオケ楽曲を演奏中（カラオケ演奏モード）である場合に進むＳ１０１では、タッチパネル１１ｂに対する利用者からのタッチ操作を受付け、利用者がタッチパネル１１ｂの何れかの場所にタッチしたことを感知するとＳ１０２の処理に進む。Ｓ１０２では、現在進行中のカラオケ演奏に対する演奏操作機能（例えば、早送り、巻戻し、一時停止）が割当てられた各種アイコンの画像を、実行中のカラオケ演奏に対応して表示パネル１１ａで表示中の背景画像上にオーバーレイ表示すると共に、それらのアイコンの画像位置に対するタッチ操作をタッチパネル１１ｂにて受付け可能に設定する。
【００３３】
そして、Ｓ１０３では、Ｓ１０２で表示した演奏操作機能のアイコンの画像位置に対するタッチ操作を一定期間待ち受ける。そして、一定期間のうちに演奏操作機能のアイコンの画像位置に該当する箇所にタッチされたことを感知すると（Ｓ１０３：ＹＥＳ）、そのタッチされたアイコンに割当てられた演奏操作機能を実行し（Ｓ１０４）、Ｓ１００の処理に戻る。一方、一定期間のうちに演奏操作機能のアイコンの画像位置に対するタッチ操作がなかった場合（Ｓ１０３：ＮＯ）、表示したアイコンを消去してＳ１００の処理に戻る。
【００３４】
ここで、カラオケ演奏モードにおける入力表示部１１の画面表示例について、図５を参照しながら説明する。図５（ａ）は、カラオケ演奏中において、演奏中のカラオケ楽曲に対応する背景画像１１１と歌詞表示１１２とが入力表示部１１に表示されている状況を示している。このとき、入力表示部１１のタッチパネル１１ｂに利用者がタッチすると、図５（ｂ）に示すとおり、オーバーレイウィンドウ１１３と、このオーバーレイウィンドウ１１３上に配置された巻戻し、一時停止及び早送りの各機能に対応したアイコン群１１３ａ〜１１３ｃとが背景画像１１１の上にオーバーレイ表示される。そして、これらのアイコン１１３ａ〜１１３ｃの画像位置に利用者がタッチすることで、そのアイコンに割当てられた演奏操作機能が実行される。なお、オーバーレイ表示は、ＣＰＵ１４において背景となる画像（背景画像１１１や歌詞表示１１２）と、オーバーレイ表示するアイコン画像（オーバーレイウィンドウ１１３やアイコン群１１３ａ〜１１３ｃ）とをそれぞれ別のレイヤで描画し、背景画像のレイヤの上にアイコン画像のレイヤを重ねた合成画像を生成して表示する。
【００３５】
図２のフローチャートの説明に戻る。演奏待ち期間（演奏待ちモード）である場合に進むＳ１０５では、演奏待ち期間の動作モードがデイモードかナイトモードのどちらに設定されているかで処理を分岐する。デイモードに設定されている場合（Ｓ１０５：デイモード）に進むＳ１０６では、デイモードの演奏待ちタッチ動作処理を実行する。実行後、Ｓ１００の処理に戻る。一方、ナイトモードに設定されている場合（Ｓ１０５：ナイトモード）に進むＳ１０７では、ナイトモードの演奏待ちタッチ動作処理を実行する。実行後、Ｓ１００の処理に戻る。なお、Ｓ１０６におけるデイモードの演奏待ちタッチ動作処理、及び、Ｓ１０７におけるナイトモードの演奏待ちタッチ動作処理の各処理の詳細な説明については後述する。
【００３６】
［デイモードの演奏待ちタッチ動作処理の説明］
つぎに、カラオケ装置１のＣＰＵ１４が実行する「デイモードの演奏待ちタッチ動作処理」の手順について、図３のフローチャートを参照しながら説明する。この処理は、上述の接触入力による動作処理（図２）におけるＳ１０６で実行される処理である。なお、本実施形態では、デイモードに対応した機能として、ギャラリーモード、インフォメーションモード及び店舗広告動画モードの各モードが実装されていることを想定している。これらの各モードの中から、カラオケ装置１の環境設定機能により予め指定されている何れかのモードが演奏待ち期間に実行されるようになっており、そのモードの処理と並行してデイモードの演奏待ちタッチ動作処理が実行されるものとする。
【００３７】
ＣＰＵ１４は、まず、デイモードにおける演奏待ち期間に実行するアプリケーションとして、ギャラリーモードを実行中であるか否かを判定する（Ｓ２００）。ギャラリーモードを実行中である場合（Ｓ２００：ＹＥＳ）、Ｓ２０１の処理に進み、ギャラリーモード以外の機能を実行中である場合（Ｓ２００：ＮＯ）、Ｓ２０５の処理に進む。
【００３８】
なお、ギャラリーモードは、演奏待ち期間中に、世界各地の風景や美しい画像等を背景映像（ＢＧＶ：background video）としてメインモニタ２０及び表示パネル１１ａに表示すると共に、様々なジャンルの音楽を背景音楽（ＢＧＭ：background music）として音声出力する機能である。ギャラリーモードで再生されるＢＧＶやＢＧＭは、ＨＤＤ１３にデータを格納する等して予め用意された複数の映像や音楽の中から操作者が選択したものが再生されるようになっている。
【００３９】
ギャラリーモードを実行中である場合に進むＳ２０１では、タッチパネル１１ｂに対する利用者からのタッチ操作を受付け、利用者がタッチパネル１１ｂの何れかの場所にタッチしたことを感知するとＳ２０２の処理に進む。Ｓ２０２では、ギャラリーセレクタを起動する。ギャラリーセレクタは、ギャラリーモードにおいて再生するＢＧＶやＢＧＭを操作者が選択する機能である。ギャラリーセレクタを起動した場合、このギャラリーセレクタで選択する設定項目が割当てられた各種アイコンの画像を、表示パネル１１ａで現在表示中の背景画像上にオーバーレイ表示すると共に、それらのアイコンの画像位置に対するタッチ操作をタッチパネル１１ｂにて受付け可能に設定する。
【００４０】
そして、Ｓ２０３では、ギャラリーセレクタにおいて表示したアイコンの画像位置に対するタッチ操作を一定期間待ち受ける。そして、一定期間のうちにギャラリーセレクタのアイコンの画像位置に該当する箇所にタッチされたことを感知すると（Ｓ２０３：ＹＥＳ）、そのタッチされたアイコンに割当てられた設定項目に応じてギャラリーモードの動作設定を行う処理を実行し（Ｓ２０４）、本処理を終了する。一方、一定期間のうちにギャラリーセレクタのアイコンの画像位置に対するタッチ操作がなかった場合（Ｓ２０３：ＮＯ）、表示したアイコンを消去して本処理を終了する。
【００４１】
一方、ギャラリーモード以外の機能を実行中である場合に進むＳ２０５では、インフォメーションモードを実行中であるか否かを判定する。インフォメーションモードを実行中である場合（Ｓ２０５：ＹＥＳ）、Ｓ２０６の処理に進み、インフォメーションモードではなく店舗広告動画モードを実行中である場合（Ｓ２０５：ＮＯ）、Ｓ２１０の処理に進む。
【００４２】
なお、インフォメーションモードは、演奏待ち期間中に、デイ市場に多い客層（例えば、若年層）を対象にした、若年層に人気のあるアーティストに関する宣伝映像をメインモニタ２０及び表示パネル１１ａに表示する機能である。インフォメーションモードで表示される宣伝映像は、例えば、通信ネットワークを通じて外部の配信センタから各カラオケ店舗に配信されたデータを基に再生されるようになっている。
【００４３】
インフォメーションモードを実行中である場合に進むＳ２０６では、タッチパネル１１ｂに対する利用者からのタッチ操作を受付け、利用者がタッチパネル１１ｂの何れかの場所にタッチしたことを感知するとＳ２０７の処理に進む。Ｓ２０７では、インフォメーション予約アプリケーションを起動する。インフォメーション予約アプリケーションは、インフォメーションモードで再生中の宣伝映像で紹介されているアーティストのカラオケ楽曲を演奏予約する機能である。インフォメーション予約アプリケーションを起動した場合、演奏予約するカラオケ楽曲を指定する機能が割当てられた各種アイコンの画像を、表示パネル１１ａで現在表示中の背景画像上にオーバーレイ表示すると共に、それらのアイコンの画像位置に対するタッチ操作をタッチパネル１１ｂにて受付け可能に設定する。
【００４４】
そして、Ｓ２０８では、インフォメーション予約アプリケーションにおいて表示したアイコンの画像位置に対するタッチ操作を一定期間待ち受ける。そして、一定期間のうちにインフォメーション予約アプリケーションのアイコンの画像位置に該当する箇所にタッチされたことを感知すると（Ｓ２０８：ＹＥＳ）、そのタッチされたアイコンに割当てられた設定項目に対応するカラオケ楽曲の演奏予約を行う処理を実行し（Ｓ２０９）、本処理を終了する。一方、一定期間のうちにインフォメーション予約アプリケーションのアイコンの画像位置に対するタッチ操作がなかった場合（Ｓ２０８：ＮＯ）、表示したアイコンを消去して本処理を終了する。
【００４５】
一方、ギャラリーモード及びインフォメーションモードの何れも実行していない場合、本実施形態では、店舗広告動画モードを実行することを前提としている。店舗広告動画モードは、チェーン展開している当該カラオケ店舗を紹介する広告動画をメインモニタ２０及び表示パネル１１ａに表示する機能である。店舗広告動画モードで表示される広告動画は、例えば、ＨＤＤ１３にデータを格納する等して予め用意されたデータや、通信ネットワークを通じて系列店舗間で配信されたデータを基に再生されるようになっている。
【００４６】
店舗広告動画モードを実行している場合に進むＳ２１０では、タッチパネル１１ｂに対する利用者からのタッチ操作を受付け、利用者がタッチパネル１１ｂの何れかの場所にタッチしたことを感知するとＳ２１１の処理に進む。Ｓ２１１では、店舗購買注文アプリケーションを起動する。店舗購買注文アプリケーションは、当該カラオケ店舗で販売されている飲食物等の商品の購買注文をする機能である。店舗購買注文アプリケーションを起動した場合、販売されている商品のメニュー表の画像や、注文する商品を指定する機能が割当てられた各種アイコンの画像を、表示パネル１１ａで現在表示中の背景画像上にオーバーレイ表示すると共に、それらのアイコンの画像位置に対するタッチ操作をタッチパネル１１ｂにて受付け可能に設定する。
【００４７】
そして、Ｓ２１２では、店舗購買注文アプリケーションにおいて表示したアイコンの画像位置に対するタッチ操作を一定期間待ち受ける。そして、一定期間のうちに店舗購買注文アプリケーションのアイコンの画像位置に該当する箇所にタッチされたことを感知すると（Ｓ２１２：ＹＥＳ）、そのタッチされたアイコンに割当てられた商品の購買発注処理を実行し（Ｓ２１３）、本処理を終了する。一方、一定期間のうちに店舗購買注文アプリケーションのアイコンの画像位置に対するタッチ操作がなかった場合（Ｓ２１２：ＮＯ）、表示したアイコンを消去して本処理を終了する。
【００４８】
以上のとおり、本実施形態におけるデイモードの演奏待ちタッチ動作処理では、デイモードに対応した機能として、ギャラリーモード、インフォメーションモード及び店舗広告動画モードの各モードが実装されている事例について説明した。それら以外にも、デイモードにおける演奏待ち期間に対応した機能として実装できるものとして、演奏待ち期間に任意の静止画像を表示する静止画表示モードが一例として挙げられる。
【００４９】
静止画表示モードでは、タッチパネル１１ｂに対する利用者からのタッチ操作を受付けた場合、この静止画表示モードで表示する画像を指定する機能が割当てられたアイコンの一覧を、表示パネル１１ａで現在表示中の背景画像上にオーバーレイ表示する。それと共に、それらのアイコンの画像位置に対するタッチ操作をタッチパネル１１ｂにて受付け可能に設定する。
【００５０】
［ナイトモードの演奏待ちタッチ動作処理の説明］
つぎに、カラオケ装置１のＣＰＵ１４が実行する「ナイトモードの演奏待ちタッチ動作処理」の手順について、図４のフローチャートを参照しながら説明する。この処理は、上述の接触入力による動作処理（図２）におけるＳ１０７で実行される処理である。なお、本実施形態では、ナイトモードに対応した機能として、ギャラリーモード、店舗静止画モード、新譜案内モード及びランキング表示モードの各モードが実装されていることを想定している。これらの各モードの中から、カラオケ装置１の環境設定機能により予め指定されている何れかのモードが演奏待ち期間に実行されるようになっており、そのモードの処理と並行してナイトモードの演奏待ちタッチ動作処理が実行されるものとする。
【００５１】
ＣＰＵ１４は、まず、ナイトモードにおける演奏待ち期間に実行するアプリケーションとして、ギャラリーモードを実行中であるか否かを判定する（Ｓ３００）。ギャラリーモードを実行中である場合（Ｓ３００：ＹＥＳ）、Ｓ３０１の処理に進み、ギャラリーモード以外の機能を実行中である場合（Ｓ３００：ＮＯ）、Ｓ３０５の処理に進む。
【００５２】
なお、ギャラリーモードの具体的内容については、上記デイモードの演奏待ちタッチ動作処理（図２）におけるギャラリーモードと同様であるため、ここでの説明は省略する。
ギャラリーモードを実行中である場合に進むＳ３０１では、タッチパネル１１ｂに対する利用者からのタッチ操作を受付け、利用者がタッチパネル１１ｂの何れかの場所にタッチしたことを感知するとＳ３０２の処理に進む。Ｓ３０２では、ギャラリーセレクタを起動する。ギャラリーセレクタは、ギャラリーモードにおいて提示するＢＧＶやＢＧＭを操作者が選択する機能である。ギャラリーセレクタを起動した場合、このギャラリーセレクタで選択する設定項目が割当てられた各種アイコンの画像を、表示パネル１１ａで現在表示中の背景画像上にオーバーレイ表示すると共に、それらのアイコンの画像位置に対するタッチ操作をタッチパネル１１ｂにて受付け可能に設定する。
【００５３】
そして、Ｓ３０３では、ギャラリーセレクタにおいて表示したアイコンの画像位置に対するタッチ操作を一定期間待ち受ける。そして、一定期間のうちにギャラリーセレクタのアイコンの画像位置に該当する箇所にタッチされたことを感知すると（Ｓ３０３：ＹＥＳ）、そのタッチされたアイコンに割当てられた設定項目に応じてギャラリーモードの動作設定を行う処理を実行し（Ｓ３０４）、本処理を終了する。一方、一定期間のうちにギャラリーセレクタのアイコンの画像位置に対するタッチ操作がなかった場合（Ｓ３０３：ＮＯ）、表示したアイコンを消去して本処理を終了する。
【００５４】
一方、ギャラリーモード以外の機能を実行中である場合に進むＳ３０５では、店舗静止画モードを実行中であるか否かを判定する。店舗静止画モードを実行中である場合（Ｓ３０５：ＹＥＳ）、Ｓ３０６の処理に進み、店舗静止画モード以外の機能を実行中である場合（Ｓ３０５：ＮＯ）、Ｓ３１０の処理に進む。
【００５５】
なお、店舗静止画モードは、演奏待ち期間中に、当該カラオケ装置１が設置されている店舗独自の宣伝画像（静止画）をメインモニタ２０及び表示パネル１１ａに表示する機能である。店舗静止画モードで表示される静止画は、ＨＤＤ１３に予め格納してある静止画のデータや、ＵＳＢ（Universal Serial Bus）等を通じて外部の記憶装置から導入された静止画データの中から、操作者が選択したものが再生されるようになっている。
【００５６】
店舗静止画モードを実行中である場合に進むＳ３０６では、タッチパネル１１ｂに対する利用者からのタッチ操作を受付け、利用者がタッチパネル１１ｂの何れかの場所にタッチしたことを感知するとＳ３０７の処理に進む。Ｓ３０７では、店舗静止画入力アプリケーションを起動する。店舗静止画入力アプリケーションは、店舗静止画モードにおいて表示する静止画像を一覧の中から選択したり外部から入力する機能である。店舗静止画入力アプリケーションを起動した場合、店舗静止画入力アプリケーションで選択する設定項目が割当てられた各種アイコンの画像を、表示パネル１１ａで現在表示中の静止画像上にオーバーレイ表示すると共に、それらのアイコンの画像位置に対するタッチ操作をタッチパネル１１ｂにて受付け可能に設定する。
【００５７】
そして、Ｓ３０８では、店舗静止画入力アプリケーションにおいて表示したアイコンの画像位置に対するタッチ操作を一定期間待ち受ける。そして、一定期間のうちに店舗静止画入力アプリケーションのアイコンの画像位置に該当する箇所にタッチされたことを感知すると（Ｓ３０８：ＹＥＳ）、そのタッチされたアイコンに割当てられた設定項目に応じて店舗静止画モードの動作設定を行う処理を実行し（Ｓ３０９）、本処理を終了する。一方、一定期間のうちに店舗静止画入力アプリケーションのアイコンの画像位置に対するタッチ操作がなかった場合（Ｓ３０８：ＮＯ）、表示したアイコンを消去して本処理を終了する。
【００５８】
一方、店舗静止画モード以外の機能を実行中である場合に進むＳ３１０では、新譜案内モードを実行中であるか否かを判定する。新譜案内モードを実行中である場合（Ｓ３１０：ＹＥＳ）、Ｓ３１１の処理に進み、新譜案内モードではなくランキング表示モードを実行中である場合（Ｓ３１０：ＮＯ）、Ｓ３１５の処理に進む。
【００５９】
なお、新譜案内モードは、演奏待ち期間中に、当該カラオケ装置１に新たに配信されたカラオケ楽曲（新譜）のリストをメインモニタ２０及び表示パネル１１ａに表示する機能である。新譜案内モードで表示されるリストは、通信ネットワークを通じて外部の配信センタからカラオケ装置１に配信されるようになっている。
【００６０】
新譜案内モードを実行中である場合に進むＳ３１１では、タッチパネル１１ｂに対する利用者からのタッチ操作を受付け、利用者がタッチパネル１１ｂの何れかの場所にタッチしたことを感知するとＳ３１２の処理に進む。Ｓ３１２では、新譜案内予約アプリケーションを起動する。新譜案内予約アプリケーションは、新譜案内モードで表示されるリストのカラオケ楽曲を演奏予約する機能である。新譜案内予約アプリケーションを起動した場合、演奏予約するカラオケ楽曲を指定する機能が割当てられた各種アイコンの画像を、表示パネル１１ａで現在表示中の背景画像上にオーバーレイ表示すると共に、それらのアイコンの画像位置に対するタッチ操作をタッチパネル１１ｂにて受付け可能に設定する。
【００６１】
そして、Ｓ３１３では、新譜案内予約アプリケーションにおいて表示したアイコンの画像位置に対するタッチ操作を一定期間待ち受ける。そして、一定期間のうちに新譜案内予約アプリケーションのアイコンの画像位置に該当する箇所にタッチされたことを感知すると（Ｓ３１３：ＹＥＳ）、そのタッチされたアイコンに割当てられた設定項目に対応するカラオケ楽曲の演奏予約を行う処理を実行し（Ｓ３１４）、本処理を終了する。一方、一定期間のうちに新譜案内予約アプリケーションのアイコンの画像位置に対するタッチ操作がなかった場合（Ｓ３１３：ＮＯ）、表示したアイコンを消去して本処理を終了する。
【００６２】
一方、ギャラリーモード、店舗静止画モード及び新譜案内モードの何れも実行していない場合、本実施形態では、ランキング表示モードを実行することを前提としている。ランキング表示モードは、歌唱者によるカラオケ歌唱の巧拙度合を採点する採点機能を利用し、当該カラオケ装置１を使用して行われたカラオケ歌唱の採点結果を順位付けして、それを楽曲名や歌唱者名と共に当該店舗内におけるランキングとして演奏待ち期間中に表示する機能である。
【００６３】
ランキング表示モードを実行している場合に進むＳ３１５では、タッチパネル１１ｂに対する利用者からのタッチ操作を受付け、利用者がタッチパネル１１ｂの何れかの場所にタッチしたことを感知するとＳ３１６の処理に進む。Ｓ３１６では、ランキング予約アプリケーションを起動する。ランキング予約アプリケーションは、ランキング表示モードで表示中のランキングで紹介されているカラオケ楽曲を演奏予約する機能である。ランキング予約アプリケーションを起動した場合、演奏予約するカラオケ楽曲を指定する機能が割当てられた各種アイコンの画像を、表示パネル１１ａで現在表示中の背景画像上にオーバーレイ表示すると共に、それらのアイコンの画像位置に対するタッチ操作をタッチパネル１１ｂにて受付け可能に設定する。
【００６４】
そして、Ｓ３１７では、ランキング予約アプリケーションにおいて表示したアイコンの画像位置に対するタッチ操作を一定期間待ち受ける。そして、一定期間のうちにランキング予約アプリケーションのアイコンの画像位置に該当する箇所にタッチされたことを感知すると（Ｓ３１７：ＹＥＳ）、そのタッチされたアイコンに割当てられた設定項目に対応するカラオケ楽曲の演奏予約を行う処理を実行し（Ｓ３１８）、本処理を終了する。一方、一定期間のうちにランキング予約アプリケーションのアイコンの画像位置に対するタッチ操作がなかった場合（Ｓ３１７：ＮＯ）、表示したアイコンを消去して本処理を終了する。
【００６５】
以上のとおり、本実施形態におけるナイトモードの演奏待ちタッチ動作処理では、ナイトモードにおける演奏待ち期間に対応した機能として、ギャラリーモード、店舗静止画モード、新譜案内モード及びランキング表示モードの各モードが実装された事例について説明した。それら以外にも、ナイトモードにおける演奏待ち期間に対応した機能として実装できるものとして、インフォメーションモード、カラオケ大会ランキング表示モード、静止画表示モード等が一例として挙げられる。
【００６６】
インフォメーションモードは、ナイト市場に多い客層（例えば、中高年層）を対象にした、演歌系のアーティストに関する宣伝映像を演奏待ち期間中に表示する機能である。このインフォメーションモードでは、タッチパネル１１ｂに対する利用者からのタッチ操作を受付けた場合、そのときに再生している宣伝映像で紹介されているアーティストのカラオケ楽曲を演奏予約する楽曲として指定する機能が割当てられた各種アイコンの一覧を、表示パネル１１ａで現在表示中の背景画像上にオーバーレイ表示する。それと共に、それらのアイコンの画像位置に対するタッチ操作をタッチパネル１１ｂにて受付け可能に設定する。
【００６７】
カラオケ大会ランキング表示モードは、当該店舗内で利用客同士がカラオケ歌唱の巧拙を競うカラオケ大会を実施した際の各カラオケ歌唱の採点結果を順位付けし、それを楽曲名や歌唱者名と共にランキングとして演奏待ち期間中に表示する機能である。このカラオケ大会ランキング表示モードでは、タッチパネル１１ｂに対する利用者からのタッチ操作を受付けた場合、そのときに表示しているランキングで紹介されているカラオケ楽曲を演奏予約する楽曲として指定する機能が割当てられた各種アイコンの一覧を、表示パネル１１ａで現在表示中の背景画像上にオーバーレイ表示する。それと共に、それらのアイコンの画像位置に対するタッチ操作をタッチパネル１１ｂにて受付け可能に設定する。
【００６８】
静止画表示モードでは、タッチパネル１１ｂに対する利用者からのタッチ操作を受付けた場合、この静止画表示モードで表示する画像を指定する機能が割当てられたアイコンの一覧を、表示パネル１１ａで現在表示中の背景画像上にオーバーレイ表示すると共に、それらのアイコンの画像位置に対するタッチ操作をタッチパネル１１ｂにて受付け可能に設定する。
【００６９】
つぎに、演奏待ちモードにおけるにおける入力表示部１１の画面表示例について、図６を参照しながら説明する。ここでは、デイモードとナイトモードとで共通に実装される上述のギャラリーモードを例にとって説明する。
【００７０】
図６（ａ）は、演奏待ち期間においてギャラリーモードに対応する背景画像１１４が入力表示部１１に表示されている状況を示している。このとき、入力表示部１１のタッチパネル１１ｂに利用者がタッチすると、図６（ｂ）に示すとおり、ギャラリーセレクタが起動し、ＢＧＶを変更することを指示する機能が割当てられたアイコン１１５ａと、ＢＧＭを変更することを指示する機能が割当てられたアイコン１１５ｂとが背景画像１１４の上にオーバーレイ表示される。
【００７１】
そして、図６（ｂ）に示す状況からアイコン１１５ａ（ＢＧＶ変更）の画像位置を利用者がタッチすると、図６（ｃ）に示すとおり、ギャラリーモードで表示するＢＧＶとして選択可能な各映像がそれぞれ割当てられたアイコン群１１６ａが、背景画像１１４の上にオーバーレイ表示される。そして、これらのアイコン群１１６ａの中から何れかのアイコンの画像位置に利用者がタッチすることで、そのアイコンに割当てられた映像がギャラリーモードで表示されるＢＧＶに設定される。
【００７２】
なお、オーバーレイ表示は、ＣＰＵ１４において背景となる画像（背景画像１１４）と、オーバーレイ表示するアイコン画像（アイコン１１５ａ，１１５ｂ，１１６ａ，１１６ｂ）とをそれぞれ別のレイヤで描画し、背景画像のレイヤの上にアイコン画像のレイヤを重ねた合成画像を生成して表示する。
【００７３】
一方、図６（ｂ）に示す状況からアイコン１１５ｂ（ＢＧＭ変更）の画像位置を利用者がタッチすると、図６（ｄ）に示すとおり、ギャラリーモードで再生するＢＧＭとして選択可能な各楽曲がそれぞれ割当てられたアイコン群１１６ｂが、背景画像１１４の上にオーバーレイ表示される。そして、これらのアイコン群１１６ｂの中から何れかのアイコンの画像位置に利用者がタッチすることで、そのアイコンに割当てられた楽曲がギャラリーモードで再生されるＢＧＭに設定される。
【００７４】
［変形例］
上述の実施形態では、演奏待ちモードに対応した２つの動作モードとして、デイモードとナイトモードとを採用し、それぞれの動作モードに対応した機能を実装した事例について説明した。このデイモードとナイトモード以外にも、例えば、カラオケ装置１をナローバンド環境で通信ネットワークに接続して使用することを想定したナローバンドモードと、ブロードバンド環境で通信ネットワークに接続して使用することを想定したブロードバンドモードの２つの動作モードを演奏待ちモードとして採用することが考えられる。
【００７５】
その場合、実際に使用されるネットワーク環境に合わせた動作モードを指定することで、指定されたネットワーク環境向けの機能をＣＰＵ１４が実行する。なお、ナローバンドモードに対応した機能としては、必要な通信データ量が比較的少ないサービスが実装される。ある所定の閾値を判断基準として、所定の閾値より通信データ量が少ないサービスが、ナローバンドに対応した機能として決定される。また、ブロードバンドモードに対応した機能としては、必要な通信データ量が比較的多いサービスが実装される。ある所定の閾値を判断基準として、所定の閾値より通信データ量が多いサービスが、ブロードバンドに対応した機能として決定される。また、カラオケ装置１がナローバンドモードに設定されている場合、データをアップロードする機能が制限される。例えば、カラオケ装置１がナローバンドモードに設定されている場合、動画をアップロードする機能が制限される。一方、また、カラオケ装置１がブロードバンドモードに設定されている場合、データをアップロードする機能が使用可能に設定される。例えば、カラオケ装置１がブロードバンドモードに設定されている場合、動画をアップロードする機能が使用可能に設定される。そのため、ブロードバンドモードに対応した所定の機能の一例は、動画アップロード、または、データをアップロードする機能である。また、ナローバンドに対応した所定の機能の一例は、ネットワークを用いずカラオケ装置１単体でサービスを適用可能な機能である。
【００７６】
このように構成した場合、上述の接触入力による動作処理（図２）では、Ｓ１０５においてナイトモード又はデイモードの何れかを判定する代わりに、ナローバンドモード又はブロードバンドモードの何れかを判定することになる。そして、Ｓ１０６，Ｓ１０７においては、デイモード又はナイトモードの演奏待ちタッチ動作処理を実行する代わりに、ナローバンドモード又はブロードバンドモードの演奏待ちタッチ動作処理を実行することになる。なお、ナローバンドモード又はブロードバンドモードの演奏待ちタッチ動作処理の詳細な内容については、デイモード又はナイトモードの演奏待ちタッチ動作処理（図３，４）の内容と大筋においては同様なので、ここでの説明は省略する。
【００７７】
他にも、演奏待ち期間である場合、カラオケ装置１においてカラオケ演奏の予約をする操作が行われることが予想される。そこで、演奏待ち期間に入力表示部１１に対するタッチ操作が行われたときに、演奏待ちモードに対応した機能選択アイコンだけでなく、カラオケ演奏の予約操作を行うための予約操作アイコンを併せて表示するようにしてもよい。
【００７８】
［実施形態の構成と特許請求の範囲に記載の構成との対応］
実施形態のカラオケ装置１の各構成と、特許請求の範囲に記載の構成との対応は次のとおりである。実施形態のＣＰＵ１４が、特許請求の範囲における判定手段及び入力制御手段に相当する。また、入力表示部１１の表示パネル１１ａが、表示手段に相当する。
【００７９】
［効果］
実施形態のカラオケ装置１によれば、次のような効果を奏する。
カラオケ演奏モードや演奏待ちモードといった局面ごとに対応した機能に関する操作を、カラオケ装置１が備えるタッチパネル１１ｂを用いて行うことができる。このように、カラオケ演奏モードと演奏待ちモードとでタッチパネル１１ｂによる操作内容を切替えることで、カラオケ演奏に関する操作以外の操作を行う場合でも、従来のように必要な操作項目を階層構造の深い位置から探す必要がなく、操作が簡便になる。
【００８０】
また、表示パネル１１ａとタッチパネル１１ｂとを組合せた入力表示部１１によるアイコン表示とタッチ操作を利用した直感的な操作が可能である。また、タッチ操作の対象となるアイコンを、カラオケ演奏モードや演奏待ちモードにおいて表示パネル１１ａに表示している画像上にオーバーレイ表示することで、カラオケ演奏モードや演奏待ちモードに対応した画像表示を継続したまま各モードに対応したタッチ操作が可能である。
【００８１】
また、演奏待ちモードとして、デイモードとナイトモードの２種類の動作モード、又はナローバンドモードとブロードバンドモードの２種類の動作モードを実装し、それぞれの動作モードに対応した機能に対する操作をタッチパネル１１ｂによってタッチ操作可能に構成したことで、各動作に対応した機能に対する操作を簡単に行うことができる。
【符号の説明】
【００８２】
１…カラオケ装置、１０…操作パネル、１１…入力表示部、１１ａ…表示パネル、１１ｂ…タッチパネル、１２…映像処理部、１３…ハードディスクドライブ（ＨＤＤ）、１４…ＣＰＵ、１５…ＲＡＭ、１６…ＲＯＭ、１７…音声処理部、１８…通信インタフェース、２０…メインモニタ。
【図１】
0005397429.tif 000002
【図２】
0005397429.tif 000003
【図３】
0005397429.tif 000004
【図４】
0005397429.tif 000005
【図５】
0005397429.tif 000006
【図６】
0005397429.tif 000007